(57)【要約】  本発明は、テレビ放送の自動化運営を管理できる、テレビ放送信号の送信方法、送信センター、基地局およびシステムを開示する。テレビ放送信号の送信方法は、テレビ放送送信センターが、各基地局の動作を制御する制御情報を確定するステップと、テレビ放送ネットワークにより各基地局に、対応する制御情報を送信し、受信する制御情報に基づき基地局の動作を制御するよう各基地局に指示するステップと、を備える。
2013534092.tif 000002
【特許請求の範囲】
【請求項１】
テレビ放送送信センターが、各基地局の動作を制御する制御情報を確定するステップと、
テレビ放送ネットワークにより各基地局に、対応する制御情報を送信し、受信する制御情報に基づき基地局の動作を制御するよう各基地局に指示するステップと
を備えることを特徴とするテレビ放送信号の送信方法。
【請求項２】
前記テレビ放送送信センターが各基地局の動作を制御する制御情報を確定する前に、
テレビ放送送信センターが、各基地局からの、モバイル通信ネットワークにより送信されたステータス情報を受信するステップ
をさらに備えることを特徴とする請求項１記載のテレビ放送信号の送信方法。
【請求項３】
前記テレビ放送送信センターが各基地局の動作を制御する制御情報を確定するステップは、
各基地局のステータス情報に基づき、各基地局の、テレビ放送信号の送信を、制御する制御情報を確定するステップであり、
前記テレビ放送ネットワークにより各基地局に、対応する制御情報を送信し、受信した制御情報に基づき基地局の動作を制御するように各基地局に指示するステップは、
テレビ放送ネットワークにより各基地局にテレビ放送信号および対応する制御情報を送信し、受信した制御情報に基づきテレビ放送信号の送信を制御するように各基地局に指示するステップである
ことを特徴とする請求項２記載のテレビ放送信号の送信方法。
【請求項４】
前記ステータス情報は、テレビ放送送信センターと基地局間の経路遅延時間パラメータ値を含み、
各基地局の制御情報は、基地局が前記テレビ放送信号を送信する送信遅延時間パラメータ値を含む
ことを特徴とする請求項３記載のテレビ放送信号の送信方法。
【請求項５】
各基地局のステータス情報に基づき、各基地局の、テレビ放送信号の送信を、制御する制御情報を確定するステップは、
各基地局の前記経路遅延時間パラメータ値のうちの最大経路遅延時間パラメータ値を確定するステップと、
最大経路遅延時間パラメータ値から基地局の経路遅延時間パラメータ値を引いた値を各基地局がテレビ放送信号を送信する送信遅延時間パラメータ値と確定するステップと
を備えることを特徴とする請求項４記載のテレビ放送信号の送信方法。
【請求項６】
前記ステータス情報は、テレビ放送送信センターと基地局間の経路遅延時間パラメータ値と、基地局の位置座標パラメータ値と、基地局動作ステータスパラメータ値とを含み、
各基地局の制御情報は、基地局が前記テレビ放送信号を送信する送信遅延時間パラメータ値を含む
ことを特徴とする請求項３記載のテレビ放送信号の送信方法。
【請求項７】
各基地局のステータス情報に基づき、各基地局の、テレビ放送信号の送信を、制御する制御情報を確定するステップは、
各基地局の位置座標パラメータ値、動作ステータスパラメータ値、テレビ放送送信センターに保存された地理情報データ、および気象データに基づき、各基地局と隣接した基地局との等電界強度信号干渉区域の交点距離を確定するステップと、
各基地局の経路遅延時間パラメータ値および交点距離に基づき、各基地局がテレビ放送信号を送信する送信遅延時間パラメータ値を確定するステップと
を備えることを特徴とする請求項６記載のテレビ放送信号の送信方法。
【請求項８】
前記ステータス情報は、テレビ放送送信センターと基地局間の経路遅延時間パラメータ値と、基地局の位置座標パラメータ値と、基地局の動作ステータスパラメータ値とを含み、
各基地局の制御情報は、基地局が前記テレビ放送信号を送信する送信電力パラメータ値を含む
ことを特徴とする請求項３記載のテレビ放送信号の送信方法。
【請求項９】
基地局が、テレビ放送送信センターからの、テレビネットワークにより送信された制御情報を受信するステップと、
基地局が、受信した制御情報に基づき、基地局の動作を制御するステップと
を備えることを特徴とするテレビ放送信号の送信方法。
【請求項１０】
基地局が、モバイル通信ネットワークにより基地局のステータス情報をテレビ放送送信センターに送信するステップ
をさらに備えることを特徴とする請求項９記載のテレビ放送信号の送信方法。
【請求項１１】
前記基地局がテレビ放送送信センターからの、テレビ放送ネットワークにより送信された制御情報を受信するステップは、
基地局が、テレビ放送送信センターからの、テレビ放送ネットワークにより送信されたテレビ放送信号および制御情報を受信するステップであり、
前記受信した制御情報に基づき、基地局の動作を制御するステップは、
受信した制御情報に基づき、テレビ放送信号の送信を制御するステップである
ことを特徴とする請求項１０記載のテレビ放送信号の送信方法。
【請求項１２】
前記ステータス情報は、テレビ放送送信センターと基地局間の経路遅延時間パラメータ値を含み、
前記制御情報は、基地局が前記テレビ放送信号を送信する送信遅延時間パラメータ値を含み、
前記受信した制御情報に基づき、テレビ放送信号の送信を制御するステップは、
基地局が受信した送信遅延時間パラメータ値に基づき、テレビ放送信号の送信遅延時間を制御するステップである
ことを特徴とする請求項１１記載のテレビ放送信号の送信方法。
【請求項１３】
前記ステータス情報は、テレビ放送送信センターと基地局間の経路遅延時間パラメータ値と、基地局の位置座標パラメータ値と、基地動作ステータスパラメータ値とを含み、
前記制御情報は、基地局が前記テレビ放送信号を送信する送信遅延時間パラメータ値を含み、
前記受信した制御情報に基づきテレビ放送信号の送信を制御するステップは、基地局が受信した送信遅延時間パラメータ値に基づき、テレビ放送信号の送信遅延時間を制御するステップである
ことを特徴とする請求項１１記載のテレビ放送信号の送信方法。
【請求項１４】
前記ステータス情報は、テレビ放送送信センターと基地局間の経路遅延時間パラメータ値と、基地局の位置座標パラメータ値と、基地局動作ステータスパラメータ値とを含み、
前記制御情報は、基地局が前記テレビ放送信号を送信する送信電力パラメータ値を含み、
前記受信した制御情報に基づきテレビ放送信号の送信を制御するステップは、基地局が、受信した送信電力パラメータ値に基づき、テレビ放送信号の送信電力を制御するステップである
ことを特徴とする請求項１１記載のテレビ放送信号の送信方法。
【請求項１５】
各基地局の動作を制御する制御情報を確定するコンピュータ手段と、
テレビ放送ネットワークにより各基地局に、対応する制御情報を送信し、受信する制御情報に基づき基地局の動作を制御するように各基地局に指示する送信手段と、
を含むことを特徴とするテレビ放送送信センター。
【請求項１６】
各基地局からの、モバイル通信ネットワークにより送信されたステータス情報を受信し、コンピュータ手段に送信する通信ゲートウェイ
をさらに含むことを特徴とする請求項１５記載のテレビ放送送信センター。
【請求項１７】
前記コンピュータ手段は、各基地局のステータス情報に基づき、各基地局の、テレビ放送信号の送信を、制御する制御情報をそれぞれ確定し、
前記送信手段は、テレビ放送ネットワークを通じて各基地局にテレビ放送信号および対応の制御情報を送信し、受信した制御情報に基づきテレビ放送信号の送信を制御するように各基地局に指示する
ことを特徴とする請求項１６記載のテレビ放送送信センター。
【請求項１８】
前記通信ゲートウェイが受信するステータス情報は、テレビ放送送信センターと基地局間の経路遅延時間パラメータ値を含み、
前記コンピュータ手段が確定する各基地局の制御情報は、基地局が前記テレビ放送信号を送信する送信遅延時間パラメータ値を含む
ことを特徴とする請求項１７記載のテレビ放送送信センター。
【請求項１９】
前記コンピュータ手段は、各基地局の前記経路遅延時間パラメータ値のうちの最大経路遅延時間パラメータ値を確定し、最大経路遅延時間パラメータ値から基地局の経路遅延時間パラメータ値を引いた値を、各基地局がテレビ放送信号を送信する送信遅延時間パラメータ値と確定する
ことを特徴とする請求項１８記載のテレビ放送送信センター。
【請求項２０】
前記通信ゲートウェイが受信するステータス情報は、テレビ放送送信センターと基地局間の経路遅延時間パラメータ値と、基地局の位置座標パラメータ値と、基地局の動作ステータスパラメータ値とを含み、
前記コンピュータ手段が確定する各基地局の制御情報は、基地局が前記テレビ放送信号を送信する送信遅延時間パラメータ値を含む
ことを特徴とする請求項１７記載のテレビ放送送信センター。
【請求項２１】
前記コンピュータ手段は、各基地局の位置座標パラメータ値、動作ステータスパラメータ値、および保存された地理情報データ、気象データに基づき、各基地局と隣接した基地局との等電界強度信号干渉区域の交点距離を確定し、各基地局の経路遅延時間パラメータ値および交点距離に基づき、各基地局がテレビ放送信号を送信する送信遅延時間パラメータ値を確定する
ことを特徴とする請求項２０記載のテレビ放送送信センター。
【請求項２２】
前記通信ゲートウェイが受信するステータス情報は、テレビ放送送信センターと基地局間の経路遅延時間パラメータ値と、基地局の位置座標パラメータ値と、基地局の動作ステータスパラメータ値とを含み、
前記コンピュータ手段が確定する各基地局の制御情報は、基地局が前記テレビ放送信号を送信する送信電力パラメータ値を含む
ことを特徴とする請求項１７記載のテレビ放送送信センター。
【請求項２３】
テレビ放送送信センターからの、テレビ放送ネットワークにより送信された制御情報を受信する受信手段と、
受信した制御情報に基づき基地局の動作を制御する制御手段と、
を含むことを特徴とする基地局。
【請求項２４】
モバイル通信ネットワークを通じて基地局のステータス情報をテレビ放送送信センターに送信するコンピュータ手段
をさらに含むことを特徴とする請求項２３記載の基地局。
【請求項２５】
前記受信手段は、テレビ放送送信センターからの、テレビ放送ネットワークにより送信されたテレビ放送信号と制御情報とを受信し、
前記制御手段は、受信した制御情報に基づきテレビ放送信号の送信を制御する
ことを特徴とする請求項２４記載の基地局。
【請求項２６】
前記コンピュータ手段が送信するステータス情報は、テレビ放送送信センターと基地局間の経路遅延時間パラメータ値を含み、
前記受信手段が受信する制御情報は、基地局が前記テレビ放送信号を送信する送信遅延時間パラメータ値を含み、
前記制御手段は、受信した送信遅延時間パラメータ値に基づきテレビ放送信号の送信遅延時間を制御する
ことを特徴とする請求項２５記載の基地局。
【請求項２７】
前記コンピュータ手段が送信するステータス情報は、テレビ放送送信センターと基地局間の経路遅延時間パラメータ値と、基地局の位置座標パラメータ値と、基地局動作ステータスパラメータ値とを含み、
前記受信手段が受信する前記制御情報は、基地局が前記テレビ放送信号を送信する送信遅延時間パラメータ値を含み、
前記制御手段は、受信した送信遅延時間パラメータ値に基づきテレビ放送信号の送信遅延時間を制御する
ことを特徴とする請求項２５記載の基地局。
【請求項２８】
前記コンピュータ手段が送信するステータス情報は、テレビ放送送信センターと基地局間の経路遅延時間パラメータ値と、基地局の位置座標パラメータ値と、基地局動作ステータスパラメータ値とを含み、
前記受信手段が受信する制御情報は、基地局が前記テレビ放送信号を送信する送信電力パラメータ値を含み、
前記制御手段は、受信した送信電力パラメータ値に基づきテレビ放送信号の送信電力を制御する
ことを特徴とする請求項２５記載の基地局。
【請求項２９】
テレビ放送送信センターと基地局とを含み、
テレビ放送送信センターは、各基地局の動作を制御する制御情報を確定し、テレビ放送ネットワークにより各基地局に、対応する制御情報を送信し、受信した制御情報に基づき基地局の動作を制御するように各基地局に指示し、
基地局は、テレビ放送送信センターからの、テレビ放送ネットワークにより送信された制御情報を受信し、受信した制御情報に基づき基地局の動作を制御する
ことを特徴とするテレビ放送信号の送信システム。
【請求項３０】
テレビ放送送信センターは、さらに、各基地局からの、モバイル通信ネットワークにより送信されたステータス情報を受信し、
前記基地局は、モバイル通信ネットワークにより基地局のステータス情報をテレビ放送送信センターに送信する
ことを特徴とする請求項２９記載のテレビ放送信号の送信システム。
【発明の詳細な説明】
【技術分野】
【０００１】
本発明は通信技術分野に関し、特にテレビ放送信号の送信方法、送信センター、基地局およびシステムに関する。
【背景技術】
【０００２】
地上無線テレビ放送はセルラー同期ネットワークを構築する際に、基地局間の送信信号の同期カバーを実現するため、人工的な調節および運用管理方法がよく使われる。動作員は各基地局信号の到着遅延時間、基地局の位置座標および隣接する基地局間の地理環境に基づき、各基地局の送信信号の遅延時間、送信電力を人工的に設定する。しかし、セルラー基地局のパラメータ設定は非常に複雑なプロセスであるため、繰り返し調節しなければ、各セルラー基地局間の信号の最適な同期カバレッジを実現することができない。そのため、従来の技術においては、テレビ放送のセルラーネットワークカバレッジを実現するためのネットワーク工程の調節が煩雑で、運用管理が難しく、送信カバレッジの有効率が低い等の問題が存在する。
【発明の概要】
【発明が解決しようとする課題】
【０００３】
本発明は、テレビ放送信号送信の自動化運用管理を実現できる、テレビ放送信号の送信方法、送信センター、基地局およびシステムを提供する。
【課題を解決するための手段】
【０００４】
本発明に係るテレビ放送信号の送信方法は、
テレビ放送送信センターが各基地局の動作を制御する制御情報を確定するステップと、
テレビ放送ネットワークにより各基地局に、対応する制御情報を送信し、受信した制御情報に基づき基地局の動作を制御するよう各基地局に指示するステップとを備える。
【０００５】
上記テレビ放送信号の送信方法において、前記テレビ放送送信センターが各基地局の動作を制御する制御情報を確定する前に、テレビ放送送信センターが、各基地局からの、モバイル通信ネットワークにより送信されたステータス情報を受信するステップをさらに揃える。
【０００６】
上記テレビ放送信号の送信方法において、前記テレビ放送送信センターが各基地局の動作を制御する制御情報を確定するステップは、
各基地局のステータス情報に基づき、各基地局の、テレビ放送信号の送信を、制御する制御情報を確定するステップであり、
前記テレビ放送ネットワークにより各基地局に、対応する制御情報を送信し、受信した制御情報に基づき基地局の動作を制御するように各基地局に指示するステップは、
テレビ放送ネットワークにより各基地局にテレビ放送信号および対応する制御情報を送信し、受信した制御情報に基づきテレビ放送信号の送信を制御するように各基地局に指示するステップである。
【０００７】
本発明に係るテレビ放送信号の送信方法は、基地局がテレビ放送送信センターからの、テレビネットワークにより送信された制御情報を受信するステップと、受信した制御情報に基づき、基地局の動作を制御するステップと、を備える。
【０００８】
上記テレビ放送信号の送信方法において、基地局がモバイル通信ネットワークにより基地局のステータス情報をテレビ放送送信センターに送信するステップをさらに備える。
【０００９】
上記テレビ放送信号の送信方法において、前記基地局がテレビ放送送信センターからの、テレビ放送ネットワークにより送信された制御情報を受信するステップは、
基地局がテレビ放送送信センターからの、テレビ放送ネットワークにより送信されたテレビ放送信号および制御情報を受信するステップであり、
前記受信した制御情報に基づき、基地局の動作を制御するステップは、具体的に、
受信した制御情報に基づき、テレビ放送信号の送信を制御するステップである。
【００１０】
本発明に係るテレビ放送送信センターは、各基地局の動作を制御する制御情報を確定する、コンピュータ手段と、
テレビ放送ネットワークにより各基地局に、対応する制御情報を送信し、受信した制御情報に基づき基地局の動作を制御するように各基地局に指示する、送信手段と、を含む。
【００１１】
上記テレビ放送送信センターにおいては、各基地局からの、モバイル通信ネットワークにより送信されたステータス情報を受信し、コンピュータ手段に送信する、通信ゲートウェイをさらに含む。
【００１２】
上記テレビ放送送信センターにおいては、前記コンピュータ手段は、各基地局のステータス情報に基づき、各基地局の、テレビ放送信号の送信を、制御する制御情報をそれぞれ確定することに用いられ、
前記送信手段は、テレビ放送ネットワークにより各基地局にテレビ放送信号および対応の制御情報を送信し、受信する制御情報に基づきテレビ放送信号の送信を制御するように各基地局に指示することに用いられる。
【００１３】
本発明に係る基地局は、テレビ放送送信センターからの、テレビ放送ネットワークにより送信された制御情報を受信する受信手段と、
受信した制御情報に基づき基地局の動作を制御する制御手段と、を含む。
【００１４】
上記基地局は、モバイル通信ネットワークにより基地局のステータス情報をテレビ放送送信センターに送信するコンピュータ手段をさらに含む。
【００１５】
上記基地局において、前記受信手段は、テレビ放送送信センターからの、テレビ放送ネットワークにより送信されたテレビ放送信号と制御情報とを受信することに用いられ、
前記制御手段は、受信した制御情報に基づきテレビ放送信号の送信を制御することに用いられる。
【００１６】
本発明に係るテレビ放送信号の送信システムでは、テレビ放送送信センターと基地局とを含み、
テレビ放送送信センターは、各基地局の動作を制御する制御情報を確定し、テレビ放送ネットワークにより各基地局に、対応する制御情報を送信し、受信する制御情報に基づき基地局の動作を制御するように各基地局に指示することに用いられ、
基地局は、テレビ放送送信センターからの、テレビ放送ネットワークにより送信された制御情報を受信し、受信した制御情報に基づき基地局の動作を制御することに用いられる。
【００１７】
前記テレビ放送信号の送信システムにおいて、テレビ放送送信センターは、各基地局からの、モバイル通信ネットワークにより送信されたステータス情報を受信することにさらに用いられ、
前記基地局は、モバイル通信ネットワークにより基地局のステータス情報をテレビ放送送信センターに送信することに用いられる。
【発明の効果】
【００１８】
本発明に係る実施例によれば、テレビ放送送信センターが各基地局の制御情報を確定して各基地局に送信し、各基地局が受信する制御情報に基づき基地局の動作を制御するテレビ放送信号の送信方法が開示され、テレビ放送送信システムの自動化運用を実現した。好ましくは、各基地局はモバイル通信端末により基地局の動作ステータスをテレビ放送送信センターに返し、テレビ放送送信センターは各基地局の動作ステータスに基づき、各基地局がテレビ放送信号を発射する送信遅延時間および送信電力を確定し、各セルラー基地局はテレビ放送送信センターの制御に基づき送信遅延時間および送信電力を調整し、これにより各セルラー基地局を同期送信状態動作でき、基地局の送信カバレッジ有効率を高めることができる。
【図面の簡単な説明】
【００１９】
【図１】本発明の実施例1に係るテレビ放送送信センターがテレビ放送信号を送信する方法を示すフロー図である。
【図２】本発明の実施例１に係るテレビ放送送信センターがテレビ放送信号を送信する方法を示すフロー図である。
【図３】本発明の実施例２に係る基地局がテレビ放送信号を送信する方法を示すフロー図である。
【図４】本発明の実施例２に係る基地局がテレビ放送信号を送信する方法を示すフロー図である。
【図５】本発明の実施例に係るテレビ放送信号の送信システムの構造を示す概略図である。
【発明を実施するための形態】
【００２０】
従来のテレビ放送送信システムにおいては、各セルラー基地局がテレビ放送信号を送信する際、通常、人工的に送信遅延時間および送信電力を設定するため、調整が煩雑な上に送信カバー率が低い等の問題が存在する。本発明の実施例では、テレビ放送送信システムおよび方法を開示することにより、テレビ放送送信センターは各基地局の制御情報を確定し、各基地局に送信することができる。各基地局は受信した制御情報に基づき、基地局の動作を制御することができ、これによりテレビ放送送信システムの自動化運用を実現することができる。好ましくは、各基地局はモバイル通信端末により、基地局の動作ステータスをテレビ放送送信センターに返すことができ、テレビ放送送信センターは各基地局の動作ステータスに基づき、各基地局のテレビ放送信号の送信遅延時間および送信電力を確定することができる。なお、各セルラー基地局はテレビ放送送信センターの制御に基づき、送信遅延時間および送信電力の調節を行い、各セルラー基地局の同期送信状態の動作を保てると共に、基地局の送信カバレッジの有効率を高めることができる。これによりテレビ放送送信システムの自動化運用管理を実現することができる。
【００２１】
＜実施例１＞
本発明の実施例１に係るテレビ放送送信センターのテレビ放送信号の送信方法は、図１に示すように、ステップＳ１０１、ステップＳ１０２およびステップＳ１０３を備える
【００２２】
ステップＳ１０１においては、テレビ放送送信センターが、各基地局からの、モバイル通信ネットワークにより送信されたステータス情報を受信する。
【００２３】
ここで、各基地局のステータス情報は、基地局の位置座標パラメータ値、すなわち、基地局の地理位置と、テレビ放送送信センターと基地局間の経路遅延時間パラメータ値と、基地局の動作ステータスパラメータ値等とを含み、
【００２４】
また、基地局の位置座標パラメータ値は、基地局からの、モバイル通信ネットワークによりテレビ放送送信センターに送信される。
【００２５】
テレビ放送送信センターと基地局間の経路遅延時間パラメータ値、すなわち、テレビ放送信号のテレビ放送送信センターから基地局に到着するまでの時間は、各基地局はテレビ放送信号がテレビ放送送信センターより送信された時間と基地局より受信された時間を用いて算出することができる。具体的に、テレビ放送送信センターが制御情報またはテレビ放送信号を送信する際に、送信時間も同時に送信し、基地局は受信時間と送信時間との差に基づき、テレビ放送送信センターと基地局間の経路遅延時間パラメータ値を確定することができる。
【００２６】
基地局の動作ステータスパラメータ値とは、具体的に基地局の動作電流、送信電力、動作電圧および基地局の故障情報等を指す。
【００２７】
ステップＳ１０２においては、テレビ放送送信センターが各基地局の動作制御情報を確定する。
【００２８】
ここで、制御情報は、基地局がテレビ放送信号を送信する送信遅延時間、送信電力を制御し、基地局が行う自己検査を制御する制御情報を含み、そのうち、基地局の自己検査を制御する情報とはさらに、検査を行う基地局の位置、動作電流、動作電圧等を含む。
【００２９】
テレビ放送送信センターは基地局のステータス情報に基づき各基地局の制御情報を確定することができる。もちろん、もしテレビ放送送信センターに既に基地局のステータス情報がストレージされているのであればステップＳ１０１を省略することもできるため、テレビ放送送信センターは各基地局の制御情報を直接に確定することができる。
【００３０】
また、基地局の制御情報に基地局の自己検査を制御する制御情報のみが含まれる場合でも、ステップＳ１０１を省略し、基地局は直接テレビ放送送信センターに基地局の自己検査を制御する制御情報を送信することができ、基地局は自己検査の制御情報を受信後、基地局のステータス情報を測定し、基地局のステータス情報をテレビ放送送信センターに返す。
【００３１】
ステップＳ１０３においては、テレビ放送送信センターがテレビ放送ネットワークにより、各基地局に、対応する制御情報を送信し、受信する制御情報に基づき基地局の動作を制御するように各基地局に指示する。
【００３２】
図２に示すように、本発明の実施例に係る基地局のテレビ放送信号の送信方法は、具体的に
基地局が、テレビ放送送信センターからの、テレビ放送ネットワークにより送信された制御情報を受信するステップＳ２０１と、
基地局が、受信した制御情報に基づき基地局の動作を制御するステップＳ２０２と、
基地局が、モバイル通信ネットワークにより基地局のステータス情報をテレビ放送送信センターに送信するステップＳ２０３と、
を備える。
【００３３】
以下、基地局がテレビ放送信号を送信する送信時間および送信電力を制御する場合を例とし、本発明の実施例を詳しく説明する。
＜実施例２＞
【００３４】
図３に示すように、本発明の実施例２に係るテレビ放送信号の送信方法は、
テレビ放送送信センターが、各基地局からの、モバイル通信ネットワークにより送信されたステータス情報を受信するステップＳ３０１と、
【００３５】
テレビ放送送信センターが、各基地局のステータス情報に基づき、各基地局の、テレビ放送信号の送信を、制御する制御情報を確定するステップＳ３０２と、
【００３６】
テレビ放送送信センターが、テレビ放送ネットワークにより、各基地局にテレビ放送信号、および対応の制御情報を送信し、各基地局が受信した制御情報に基づきテレビ放送信号の送信を制御するように指示するステップＳ３０３と、
を備える。
【００３７】
上記ステップＳ３０２中の制御情報は具体的に以下の３パターンに分けられる。
１）基地局のステータス情報は、テレビ放送送信センターと基地局間の経路遅延時間パラメータ値を含み、各基地局の制御情報は、基地局がテレビ放送信号を送信する送信遅延時間パラメータ値を含む。
【００３８】
かつ、各基地局のステータス情報に基づき、各基地局の、テレビ放送信号の送信を、制御する制御情報を確定するステップは、具体的に、各基地局の上記経路遅延時間パラメータ値の中から最大経路遅延時間パラメータ値を確定し、最大経路遅延時間パラメータ値から本基地局の経路遅延時間パラメータ値を引いた値を、各基地局のテレビ放送信号を送信する送信遅延時間パラメータ値と確定する。
【００３９】
例えば、基地局１の経路遅延時間パラメータ値が１２７usで、基地局２の経路遅延時間パラメータ値が１０５usで、基地局３の経路遅延時間パラメータ値が１２０usだとする場合、テレビ放送送信センターのコンピュータ手段は各基地局のテレビ信号の同期送信を確保するため、各基地局の最大経路遅延時間データにより各基地局の送信遅延時間を確定することができる。すなわち、テレビ放送送信センターは基地局１の送信遅延時間は０usで、基地局２の送信遅延時間は２２usで、基地局３の送信遅延時間は７usだと確定することができ、各基地局はテレビ放送信号を受信後、送信遅延時間パラメータ値に基づきテレビ放送信号の送信遅延時間を調整することができ、したがって各基地局のテレビ放送信号の同期送信が実現できる。もちろん、実際の送信動作においては事実上、基地局１の送信遅延時間を０usに設定することはほとんどない。ただし、基本的な考え方としては、各基地局の経路遅延時間パラメータ値の中の最大経路遅延時間パラメータ値と、各基地局の経路遅延時間パラメータ値との差を、各基地局の送信遅延時間パラメータ値と確定し、したがって各基地局のテレビ放送信号の同期送信を確保する。  
【００４０】
２）上記の送信遅延時間の制御情報を用いれば、各基地局はテレビ放送信号のみを同期送信でき、これは大まかな同期にすぎない。実際の応用において、各基地局自身の位置の高さ、各基地局の周辺の地形位置等が異なるため、最適な同期を実現するためには、各基地局と隣接した基地局との等電界強度信号干渉区域に位置する各受信スポットが同時にテレビ放送信号を受信するようにする必要がある。そのため、各基地局の経路遅延時間パラメータ値と、各基地局と隣接した基地局との等電界強度信号干渉区域の交点距離とに基づき、各基地局の遅延時間制御情報を確定する必要がある。したがって、本実施例では以下のような送信遅延時間制御情報を確定するより好ましい方法を開示する。
【００４１】
基地局のステータス情報は、テレビ放送送信センターと各基地局間の経路遅延時間パラメータ値、基地局の位置座標パラメータ値、および基地局の動作ステータスパラメータ値を含み、各基地局の制御情報は、基地局がテレビ放送信号を送信する送信遅延時間パラメータ値を含む。
【００４２】
かつ、各基地局のステータス情報に基づき、各基地局の、テレビ放送信号の送信を、制御する制御情報を確定することは、具体的に、a)各基地局の位置座標パラメータ値、動作ステータスパラメータ値およびテレビ放送送信センターにストレージされている地理情報データおよび気象データに基づき、各基地局と隣接した基地局との等電界強度信号干渉区域の交点距離を確定し、b)各基地局の経路遅延時間パラメータ値および交点距離に基づき、各基地局の送信遅延時間パラメータ値を確定する、ことである。
【００４３】
ここで、各基地局と隣接した基地局との等電界強度信号干渉区域の交点距離を確定する具体的な方法、および送信遅延時間パラメータ値を確定する具体的方法に関しては、本分野の技術者が熟知しており、ここでは詳細な説明を省略する。
【００４４】
このようにして、各基地局と隣接した基地局との等電界強度信号干渉区域に位置する各受信スポットが同時にテレビ放送信号を受信することができ、各基地局がテレビ放送信号を送信する最適な同期を実現することができる。
【００４５】
３）上記２パターンの制御情報はいずれも各基地局の送信遅延時間を制御しているが、制御情報は、基地局がテレビ放送信号を送信する送信電力を制御する情報を含んでも良い。具体的には、
【００４６】
基地局ステータス情報は、テレビ放送送信センターと各基地局間の経路遅延時間パラメータ値、基地局の位置座標パラメータ値、および基地局の動作ステータスパラメータ値を含み、各基地局の制御情報は、基地局がテレビ放送信号を送信する送信電力パラメータ値を含む。
【００４７】
なお、各基地局のステータス情報に基づき、各基地局の、テレビ放送信号の送信を、制御する制御情報を確定することは、具体的には、各基地局の位置座標パラメータ値、動作ステータスパラメータ値およびテレビ放送送信センターに保存された地理情報データ、気象データに基づき、各基地局の送信電力パラメータ値を確定する、ことである。
【００４８】
例えば、基地局１、基地局２、基地局３のうちのいずれかの基地局の動作ステータスが変化した際、例えば基地局２に故障が発生した場合、基地局２は故障情報を基地局の動作ステータスデータとしてモバイル通信ネットワークによりテレビ放送送信センターに返す。テレビ放送送信センターのコンピュータ手段は演算処理を行い、基地局１と基地局３に電力制御情報を送信し、基地局１と基地局３の送信電力を増大させ、したがって故障した基地局２が本来カバーしていた領域にも信号がカバーされることになり、システムの全自動化運用管理を実現することができる。
【００４９】
ここで、各基地局の送信電力の確定方法は、同じく本分野の技術者が熟知している基地局のテレビ放送信号の送信電力を確定する方法であり、詳細な説明を省略する。
【００５０】
さらに、図４に示すように、本発明の実施例に係る基地局のテレビ放送信号の送信方法は、ステップＳ４０１、ステップＳ４０２およびステップＳ４０３を備える。
【００５１】
ステップＳ４０１においては、基地局がテレビ放送送信センターからテレビ放送ネットワークにより送信されたテレビ放送信号と制御情報を受信する。
【００５２】
ステップＳ４０２においては、基地局が受信した制御情報に基づき、テレビ放送信号の送信を制御する。
具体的には、基地局が受信した送信遅延時間パラメータ値に基づきテレビ放送信号の送信遅延時間を制御し、基地局が受信した電力遅延時間パラメータ値に基づきビデオ信号の送信電力を制御することと、を含む。
【００５３】
ステップＳ４０３においては、基地局がモバイル通信ネットワークにより、基地局のステータス情報をテレビ放送送信センターに送信する。
【００５４】
さらに、図５に示すように、本発明に係るテレビ放送送信システムは、具体的に、
【００５５】
各基地局の動作を制御する制御情報を確定し、テレビ放送ネットワークにより各基地局に、対応する制御情報を送信し、受信する制御情報に基づき基地局の動作を制御するように各基地局に指示する、テレビ放送送信センター５０と、
【００５６】
テレビ放送送信センターからの、テレビ放送ネットワークにより送信された制御情報を受信し、受信した制御情報に基づき基地局の動作を制御する、基地局６０と、
を含む。
【００５７】
好ましくは、テレビ放送送信センター５０は、各基地局からの、モバイル通信ネットワークにより送信されたステータス情報を受信することにさらに用いられ、
基地局６０は、モバイル通信ネットワークにより基地局のステータス情報をテレビ放送送信センターに送信することにさらに用いられる。
【００５８】
ここで、テレビ放送送信センター５０は具体的に、
各基地局の動作を制御する制御情報を確定するコンピュータ手段５０１と、
テレビ放送ネットワークにより各基地局に、対応する制御情報を送信し、受信した制御情報に基づき基地局の動作を制御するように各基地局に指示する送信手段５０２と、
を含む。
【００５９】
好ましくは、テレビ放送送信センター５０は、
各基地局からモバイル通信ネットワークを通じて送信されたステータス情報を受信し、コンピュータ手段５０１に送信する通信ゲートウェイ５０３、
をさらに含む。
【００６０】
具体的には、
コンピュータ手段５０１は、各基地局のステータス情報に基づき、各基地局の、テレビ放送信号の送信を、制御する制御情報を確定する。
【００６１】
ここで、基地局のステータス情報が、テレビ放送送信センターと各基地局間の経路遅延時間パラメータ値を含む場合、各基地局の制御情報は、基地局がテレビ放送信号を送信する送信遅延時間パラメータ値を含み、かつ、コンピュータ手段５０１は、各基地局の上記経路遅延時間パラメータ値に基づき各基地局の送信遅延時間パラメータ値を確定する。
【００６２】
基地局のステータス情報が、テレビ放送送信センターと各基地局間の経路遅延時間パラメータ値と、基地局の位置座標パラメータ値と、基地局の動作ステータスパラメータ値を含む場合、コンピュータ手段５０１が生成する各基地局の制御情報は、基地局が上記テレビ放送信号を送信する送信遅延時間パラメータ値を含み、コンピュータ手段５０１は各基地局の位置座標パラメータ値と、動作ステータスパラメータ値と、保存している地理情報データおよび気象データに基づき、各基地局と隣接した基地局との等電界強度信号干渉区域の交点距離を確定し、各基地局の経路遅延時間パラメータ値および交点距離に基づき、各基地局の送信遅延時間パラメータ値を確定する。
【００６３】
基地局のステータス情報が、テレビ放送送信センターと各基地局間の経路遅延時間パラメータ値と、基地局の位置座標パラメータ値と、基地局の動作ステータスパラメータ値を含む場合、コンピュータ手段５０１が生成する各基地局の制御情報は、基地局が上記テレビ放送信号を送信する送信電力パラメータ値を含み、なお、コンピュータ手段５０１は各基地局の位置座標パラメータ値、動作ステータスパラメータ値および保存された地理情報データ、気象データに基づき、各基地局の送信電力パラメータ値を確定する。
【００６４】
送信手段５０２は、テレビ放送ネットワークを通じて、各基地局にテレビ放送信号、および対応の制御情報を送信し、制御情報に基づきテレビ放送信号の送信を制御するように各基地局に指示する。
【００６５】
そのうち、送信手段５０２は具体的に、デジタルアダプターサブ手段５０２１、および光波マイクロ波送信サブ手段５０２２を含んでもよく、デジタルアダプターサブ手段５０２１は、制御情報とテレビ放送信号を伝送媒体通信プロトコルフォーマットに適したデジタル信号に転換し、光波マイクロ波送信サブ手段５０２２はデジタル信号を光波またはマイクロ波に転換し、各基地局の受信手段に送信する。
【００６６】
そのうち、テレビ放送送信センター５０は、
テレビ放送信号を変調し、変調後のテレビ放送信号を送信手段５０２に送信する変調手段５０４をさらに含むこともできる。
【００６７】
ここで、テレビ放送信号は一組でもまたは複数組でもよく、複数組のテレビ放送信号の場合は、複数組のテレビ放送信号は複数の変調手段５０４によりそれぞれ変調され、複数の変調済みのテレビ放送信号を生成する。
【００６８】
基地局６０は具体的に、
テレビ放送送信センターからテレビ放送ネットワークを通じて送信された制御情報を受信する受信手段６０１と、
【００６９】
受信した制御情報に基づき、基地局の動作を制御する制御手段６０２と、を含む。
【００７０】
ここで、受信手段６０１は、テレビ放送送信センターからテレビ放送ネットワークを通じて送信されたテレビ放送信号および制御情報をさらに受信し、
【００７１】
制御手段６０２は、受信した制御情報に基づき、テレビ放送信号の送信を制御する。
【００７２】
好ましくは、基地局６０は、
モバイル通信ネットワークを通じて、基地局のステータス情報をテレビ放送送信センターに送信するコンピュータ手段６０３をさらに含む。
【００７３】
ここで、コンピュータ手段６０３は受信手段が受信した制御情報に基づき制御コマンドを生成し、制御コマンドを制御手段６０２に送信し、制御手段は制御コマンドに基づきテレビ放送信号の送信を制御する。
【００７４】
ここで、受信手段６０１は光波マイクロ波受信サブ手段６０１１とデジタルアダプターサブ手段６０１２を含むこともでき、光波マイクロ波受信サブ手段６０１１は、光波またはマイクロ波を受信してデジタル信号に転換し、デジタルアダプターサブ手段６０１２は、デジタル信号をテレビ放送信号と制御情報に復元し、テレビ放送信号を制御手段に送信し、制御情報をコンピュータ手段６０３に送信する。
【００７５】
ここで、コンピュータ手段６０３は、モバイル通信端末６０４と接続することができ、基地局のステータス情報をモバイル通信端末６０４に送信し、モバイル通信端末６０４はモバイル通信ネットワークを通じて基地局のステータス情報をテレビ放送送信センターの通信ゲートウェイに返す。
【００７６】
もちろん、各基地局のステータス情報は、基地局を構築する際、基地局のコンピュータ手段６０３からテレビ放送送信センターのコンピュータ手段５０１に送信され、かつ保存され、後程、基地局のコンピュータ手段６０３は基地局のステータス情報が変更された際のみ、変更されたステータス情報をテレビ放送送信センターのコンピュータ手段５０１に返し更新を行っても良い。もちろん、基地局のコンピュータ手段６０３は定期的に基地局のステータス情報をテレビ放送送信センターのコンピュータ手段５０１に返し更新を行ってもよく、基地局のコンピュータ手段６０３は基地局が変調済みのテレビ放送信号と制御情報を受信する度に、即時に基地局のステータス情報をテレビ放送送信センターのコンピュータ手段５０１に返してもよい。
【００７７】
具体的に、制御手段６０２は、制御コマンドに基づきテレビ放送信号を制御し送信する。
【００７８】
制御手段６０２は、時間遅延制御コマンドに基づきテレビ放送信号に対し時間遅延の制御を行い、電力制御コマンドに基づき変調済みの信号に対し電力制御を行う。
【００７９】
具体的に、制御手段６０２は、時間遅延制御コマンドに基づきテレビ放送信号に対し時間遅延の制御を行う同期時間遅延処理サブ手段６０２１と、電力制御コマンドに基づきテレビ放送信号に対し電力制御を行う送信電力制御サブ手段６０２２とを含む。
【００８０】
本発明の実施例に係るテレビ放送送信システム、その基地局とテレビ放送送信センターの具体的な実施の形態に関しては方法の実施例を詳細に参照すべきであり、ここでは重複な記述を省略する。
【００８１】
本発明の実施例に係るテレビ放送信号の送信方法およびシステムを用いて、テレビ放送送信センターは各基地局の制御情報を確定し、かつ各基地局に送信することができ、各基地局は受信した制御情報に基づき基地局の動作を制御することができ、テレビ放送送信システムの自動化運用を実現することができる。好ましくは、各基地局はモバイル通信端末を通じて基地局の動作ステータスをテレビ放送送信センターに返すことができ、したがってテレビ放送センターは各基地局の動作ステータスに基づき、各基地局がテレビ放送信号を送信する送信遅延時間と送信電力を確定することができ、かつ各セルラー基地局はテレビ放送送信センターの制御に基づき、送信遅延時間および送信電力を調整することができ、したがって各セルラー基地局は同期送信状態で動作することができると共に、基地局の送信カバレッジ有効率を高め、すべての処理過程において、人による制御を必要とせず、テレビ放送送信システムの自動化運用管理を実現することができる。
【００８２】
本分野の技術者は、本発明の実施例では方法、システム、またはコンピュータプログラム製品を開示することができることを理解している。そのため、本発明は完全なハードウエア実施例、完全なソフトウエア実施例、またはソフトウエアとハードウエアを統合した実施の形態を採ることができる。かつ、本発明は一つまたは複数のコンピュータプログラムコードを含むコンピュータ記憶媒体（磁気ディスクストレージ、ＣＤ−ＲＯＭ、光学ストレージ等を含み、ただしこれらに限らない）上で実施可能なコンピュータプログラム製品の形態を採ることも可能である。
【００８３】
本発明は、本発明の実施例に係る方法、設備(システム)、コンピュータプログラム製品のフロー図および/またはブロック図を参照しながら説明を行った。コンピュータプログラムコマンドを以って、フロー図および/またはブロック図の中のすべてのステップおよび/またはブロック、フロー図および/またはブロック図の中のステップおよび/またはブロックの組み合わせを、実現できることは理解すべきである。これらのコンピュータプログラムを、通常のコンピュータ、専用コンピュータ、組込み処理機器またはその他プログラマブルデータ処理設備の処理機器に実装することにより１つの機器を生成し、コンピュータまたはその他プログラマブルデータ処理設備の処理機器を通じて実行するコマンドは、フロー図の１つのステップまたは複数のステップおよび/またはブロック図の１つのブロックまたは複数のブロック中の所定の機能を実現するための装置を生成することができる。
【００８４】
これらのコンピュータプログラムコマンドは、コンピュータまたはプログラマブルデータ処理設備を導き特定の方式で動作させる読取り可能コンピュータストレージに保存してもよく、したがってコンピュータストレージに保存されたコマンドにより指令装置を含む製品を生成し、この指令装置により、フロー図の１つのステップまたは複数のステップおよび／またはブロック図の１つのブロックまたは複数のブロック中の、所定の機能を実現することができる。
【００８５】
これらのコンピュータプログラムコマンドはコンピュータまたはその他プログロマブルデータ処理設備に埋め込むこともでき、コンピュータまたはその他プログロマブル設備上で一連の操作ステップを実行し、コンピュータが実行する処理を実現する。したがって、コンピュータまたはその他プログロマブル設備上で実行するコマンドは、フロー図の１つのステップまたは複数のステップおよび／またはブロック図の１つのブロックまたは複数のブロック中の、所定の機能のステップを実現することができる。
【００８６】
本発明の最良実施例について説明を行ったが、本分野の技術者は基本的な創造性概念を理解すると、これらの実施例に対してその他の変更と改良を行うことができる。そのため、添付の特許請求の範囲は、最良実施例および本発明の範囲に収まるすべての変更と改良を含むように解釈すべきである
【００８７】
もちろん、本分野の技術者は本発明の思想と範囲を逸脱せず、本発明について各種変更と変形を行うことができる。もし、本発明について行ったこれらの変更および変形が本発明の特許請求の範囲および均等な技術範囲内であれば、本発明はこれらの変更と変形を含むこととする。
【００８８】
本出願は２０１０年６月１２日に中国特許庁に提出し、出願番号が２０１０１０２０３７８１．６で、発明名称を「テレビ放送信号の送信方法、送信センター、基地局およびシステム」とする中国特許出願の優先権を主張し、その全ての内容を本出願に引用して含める。
【図１】
2013534092.tif 000003
【図２】
2013534092.tif 000004
【図３】
2013534092.tif 000005
【図４】
2013534092.tif 000006
【図５】
2013534092.tif 000007
【国際調査報告】
2013534092.tif 000008
2013534092.tif 000009
2013534092.tif 000010
2013534092.tif 000011